(57)【特許請求の範囲】
【請求項１】
電子キーを用いた無線通信によって扉の施錠及び解錠の少なくとも一方が行われるとき、扉錠の駆動源の駆動モータに流される電流を入力する入力回路と、
前記入力回路が入力した電流に基づき施錠又は解錠が行われた旨を報知する報知機構と、
前記駆動モータに流される前記電流を電源として起動して前記報知機構へ電力を供給する電源ユニットとを備え、
取り付け先に対して後付け可能としたことを特徴とするアンサーバック装置。
【請求項２】
電子キーを用いた無線通信によって扉の施錠及び解錠の少なくとも一方が行われるとき、扉錠の駆動源の駆動モータに流される電流を入力する入力回路と、
前記入力回路が入力した電流に基づき施錠又は解錠が行われた旨を報知する報知機構と、
前記駆動モータに流れる前記電流を電源として起動して前記報知機構へ電力を供給する電源ユニットとを備え、
前記入力回路、報知機構及び電源ユニットを同一のケースに収容することでユニット化し、取り付け先に対して後付け可能としたことを特徴とするアンサーバック装置。
【請求項３】
前記報知機構及び前記電源ユニットは、ともに前記駆動モータに流される前記電流により作動可能となることを特徴とする請求項１又は２に記載のアンサーバック装置。
【請求項４】
前記報知機構は、所定形式で報知可能な報知手段と、前記駆動モータに流される前記電流を前記入力回路を介して取り込み、前記電流が前記駆動モータの施錠又は解錠のどちら側の向きに流れたのかを判断する判断手段と、前記判断手段の判断結果に基づき施錠又は解錠に応じた報知を前記報知手段に行わせる制御手段とを備えたことを特徴とする請求項１〜３のうちいずれか一項に記載のアンサーバック装置。
【請求項５】
前記電源ユニットは、前記駆動モータに前記電流が流れなくなっても該電源ユニットが動作可能となるように、前記駆動モータに流される前記電流を入力して蓄電する蓄電回路を備えたことを特徴とする請求項１〜４のうちいずれか一項に記載のアンサーバック装置。
【発明の詳細な説明】
【技術分野】
【０００１】
本発明は、扉の施錠及び解錠の少なくとも一方を通知するアンサーバック装置に関する。
【背景技術】
【０００２】
従来、住宅等の建物の中には、電子キー（リモコン）から施錠又は解錠の信号を電波で発信し、扉に埋設した電気錠の施錠・解錠を行う電気錠システムを備え付けたものがある。この電気錠システムとして例えば特許文献１には、アンサーバック機能を備えたシステム、つまり電気錠の施錠完了又は解錠完了をホーン及びハザードランプで通知する技術が開示されている。
【０００３】
同文献１では、ドアロックモータのモータ結線を流れるロック信号と、状態スイッチ（ロックスイッチ）がロック側にオンしたときに流れるロックステータス信号と、状態スイッチがアンロック側にオンしたときに流れるアンロックステータス信号とに基づき判定回路がロック状態を監視する。そして、施錠が完了していないと判定回路が判定するとホーン駆動回路がホーンを鳴らし、施錠が完了したと判定回路が判定するとハザードランプ駆動回路がハザードランプを点灯する。
【特許文献１】特開２００３−２５３９３３号（第４−７頁、第１図）
【発明の開示】
【発明が解決しようとする課題】
【０００４】
同文献１の技術を用いれば、ドアロックモータのモータ結線を流れるロック信号を利用して、電気錠の施錠・解錠を音で通知する住宅用の電気錠システムが提供可能である。要は、同文献１に記載のハザードランプをブザーに置き換え、施錠が完了したと判定回路が判定したときにブザーを鳴らし、そのブザー音で電気錠の施錠・解錠完了を通知することも可能である。
【０００５】
ところで、旧型の電気錠システムや、電気錠の施錠・解錠完了を音で通知することを好ましく思わないユーザ用の電気錠システムでは、アンサーバック機能を搭載しない機種がある。しかし、このような電気錠システムを使用しているユーザの中には、音による施錠・解錠通知を望む人もおり、アンサーバック装置を後付けしたいという要望があった。ところが、同文献１はアンサーバック装置の後付けについては何ら開示されていないので、同文献１の技術からは対応策が生じ得ない。
【０００６】
また、これとは別の問題として、電気錠を制御する制御器を扉に埋設する場合、扉の薄型化を図るためには、それに合わせて制御器を薄くする必要がある。しかし、扉内での制御器の配置スペース等の関係上、制御器を扉に埋設できないこともあり、この場合には建物の外壁等に制御器を取り付け、配線で電気錠と制御器とを結線する方法をとる必要がある。ところが、この構造のものにアンサーバック装置を後付けする場合、アンサーバック装置の電源を取るために制御器の近くに取り付ける必要があるが、これだとアンサーバック装置が扉から離れたところに位置するので、アンサーバック装置の発する音が聞き取り難くなる。
【０００７】
従って、制御器が扉から遠い位置に配置されている場合には、扉近辺にアンサーバック装置を後付けし、このアンサーバック装置と制御器とを長い電源配線で接続する必要性が生じる。従って、電源配線を用いることからその分だけ余分なコストがかかり、さらには電源配線を通す配線スペースを住宅の壁や扉内に用意する必要があるので、制御器が扉から遠い位置に配置されている場合には、実際問題としてアンサーバック装置を後付けし難い現状があった。
【０００８】
本発明は、アンサーバック機能を有していない電気錠システムへ同機能を後付けするとき、簡単に取り付けることができるアンサーバック装置を提供することにある。
【課題を解決するための手段】
【０００９】
上記問題点を解決するために、請求項１に記載の発明では、電子キーを用いた無線通信によって扉の施錠及び解錠の少なくとも一方が行われるとき、扉錠の駆動源の駆動モータに流される電流を入力する入力回路と、前記入力回路が入力した電流に基づき施錠又は解錠が行われた旨を報知する報知機構と、前記駆動モータに流される前記電流を電源として起動して前記報知機構へ電力を供給する電源ユニットとを備え、取り付け先に対して後付け可能としたことを要旨とする。
【００１０】
この発明によれば、アンサーバック装置がユニット化されているので、アンサーバック機能を有していない電気錠システムへ同機能を後付けするときには、この装置を取り付けるだけで済む。従って、アンサーバック機能の後付け時に複数の部品を取り付けるような状況下に陥らずに済み、アンサーバック機能を簡単に後付けすることが可能となる。
【００１２】
この発明によれば、駆動モータを流れる電流によって起動する電源ユニットを備えているので、アンサーバック機能を有していない電気錠システムへ同機能を後付けするとき、他の取付場所にある主電源から電源をとるために、アンサーバック装置と主電源とを電源配線で接続する必要はない。従って、電源配線を取り回さなくともアンサーバック装置を取り付けることが可能となり、アンサーバック装置を簡単に後付けすることが可能となる。
【００１３】
請求項２に記載の発明では、電子キーを用いた無線通信によって扉の施錠及び解錠の少なくとも一方が行われるとき、扉錠の駆動源の駆動モータに流される電流を入力する入力回路と、前記入力回路が入力した電流に基づき施錠又は解錠が行われた旨を報知する報知機構と、前記駆動モータに流れる前記電流を電源として起動して前記報知機構へ電力を供給する電源ユニットとを備え、前記入力回路、報知機構及び電源ユニットを同一のケースに収容することでユニット化し、取り付け先に対して後付け可能としたことを要旨とする。請求項３に記載の発明では、前記報知機構及び前記電源ユニットは、ともに前記駆動モータに流される前記電流により作動可能となることを要旨とする。
【００１４】
この発明によれば、アンサーバック装置がユニット化されているので、アンサーバック機能を有していない電気錠システムへ同機能を後付けするときには、この装置を取り付けるだけで済む。従って、アンサーバック機能の後付け時に複数の部品を取り付けるような状況下に陥らずに済み、アンサーバック機能を簡単に後付けすることが可能となる。さらに、駆動モータを流れる電流によって起動する電源ユニットを備えているので、アンサーバック機能を有していない電気錠システムへ同機能を後付けするとき、他の取付場所にある主電源から電源をとるために、アンサーバック装置と主電源とを電源配線で接続する必要はない。このため、電源配線を取り回さなくともアンサーバック装置を取り付けることが可能となり、アンサーバック装置を後付けするときの簡素化に一層寄与する。
【００１５】
請求項４に記載の発明では、請求項１〜３のうちいずれか一項に記載の発明において、前記報知機構は、所定形式で報知可能な報知手段と、前記駆動モータに流される前記電流を前記入力回路を介して取り込み、前記電流が前記駆動モータの施錠又は解錠のどちら側の向きに流れたのかを判断する判断手段と、前記判断手段の判断結果に基づき施錠又は解錠に応じた報知を前記報知手段に行わせる制御手段とを備えたことを要旨とする。
【００１６】
この発明によれば、請求項１〜３のうちいずれか一項に記載の発明の作用に加え、駆動モータに電流が施錠又は解錠のどちら側の向き流れたのかが判断手段によって判断され、判断手段の判断結果に基づく制御手段の指令によって報知手段が施錠又は解錠の各々に応じた報知を行う。従って、施錠及び解錠の両方を１つのアンサーバック装置で報知することが可能となる。
【００１７】
請求項５に記載の発明では、請求項１〜４のうちいずれか一項に記載の発明において、前記電源ユニットは、前記駆動モータに前記電流が流れなくなっても該電源ユニットが動作可能となるように、前記駆動モータに流される前記電流を入力して蓄電する蓄電回路を備えたことを要旨とする。
【００１８】
この発明によれば、請求項１〜４のうちいずれか一項に記載の発明の作用に加え、駆動モータに電流が流れなくなっても、蓄電回路の電力によってアンサーバック装置が作動可能となる。従って、本発明のように蓄電回路を搭載しておけば、駆動モータ停止後もアンサーバック装置を作動させることが可能となり、報知の途中で電源供給が停止して報知が途中で止まってしまうような不具合が生じ難くなり、施錠又は解錠の報知の確実性が向上する。
【発明の効果】
【００１９】
本発明によれば、電気錠システムへアンサーバック機能を簡単に取り付けることができる。
【発明を実施するための最良の形態】
【００２０】
（第１実施形態）
以下、本発明を具体化したアンサーバック装置の第１実施形態を図１〜図５に従って説明する。
【００２１】
図１は、電気錠システム１の概要を示す斜視図である。電気錠システム１は、電子キー（リモコン）２の遠隔操作によって、扉３に埋設された電気錠４の施錠・解錠を行うシステムである。建物５の壁部５ａには電気錠システム１を動作させる制御器６が埋設され、制御器６と電気錠４とは配線７によって接続されている。制御器６は電子キー２から発信される電波（施錠信号又は解錠信号）に基づき電気錠４を制御し、電子キー２から施錠信号を受信すると電気錠４を施錠し、解錠信号を受信すると電気錠４を施錠する。なお、電気錠４が扉錠に相当する。
【００２２】
扉３と壁部５ａとには、一対の通電金具８ａ，８ｂが各々配設されている。通電金具８ａ，８ｂは壁部５ａから扉３へ配線７を通すためのもので、本例では彫込型の金具を用いている。電気錠４はデッドボルト（図示省略）の駆動源となる駆動モータ９を備えている。電気錠４は、制御器６からの指令に基づき駆動モータ９が一方向に回転（例えば正転）するとデッドボルトが扉外に飛び出して電気錠４が施錠状態となり、駆動モータ９が他方向に回転（例えば逆転）するとデッドボルトが扉内に引き込まれて電気錠４が解錠状態となる。
【００２３】
壁部５ａ側の通電金具８ｂの内部には、電気錠４の施錠・解錠に応じた報知を行う後付け式のアンサーバック装置１０が収納されている。アンサーバック装置１０は例えば樹脂製のケース１０ａを備え、内部に各種デバイス（部品）が内蔵されている。アンサーバック装置１０は電気錠４の施錠・解錠に連動してその旨の報知を行い、例えば電気錠４が施錠されたときに施錠音（例えばピー音）を鳴らし、電気錠４が解錠されたときに解錠音（例えばピッ、ピッ音）を鳴らすことが可能である。
【００２４】
図３は、アンサーバック装置１０の電気構成を示す電気回路図である。制御器６は２つのスイッチ１１，１２を備え、各スイッチ１１，１２の＋接点が抵抗１３及びダイオード１４を介して住宅用電源１５に接続され、各スイッチ１１，１２の−接点がＧＮＤに接続されている。２つのスイッチ１１，１２の間には抵抗１６及びコンデンサ１７が接続されている。制御器６は同機器の出力端子として＋側出力端子１８ａ及び−側出力端子１８ｂを備え、＋側出力端子１８ａがスイッチ１１に接続され、−側出力端子１８ｂがスイッチ１２に接続されている。
【００２５】
制御器６の＋側出力端子１８ａには＋側配線７ａを介して駆動モータ９の＋端子が接続され、制御器６の−側出力端子１８ｂには−側配線７ｂを介して駆動モータ９の−端子が接続されている。制御器６が施錠信号を受信すると、電気錠４が解錠されていることを条件に制御器６は自身のスイッチ制御に基づき図２（ａ）に示すようにスイッチ１１をオン、スイッチ１２をオフにする。このとき、制御器６から駆動モータ９へは図３の実線矢印方向に示す電流Ｉａが流れ、これにより駆動モータ９が正転してデッドボルトが扉外に最大限飛び出し、電気錠４が施錠状態となる。
【００２６】
一方、制御器６が解錠信号を受信すると、電気錠４が施錠されていることを条件に制御器６は自身のスイッチ制御に基づき図２（ｂ）に示すようにスイッチ１１をオフ、スイッチ１２をオンにする。このとき、制御器６から駆動モータ９へは図３の破線矢印方向に示す電流Ｉｂが流れ、これにより駆動モータ９が逆転してデッドボルトが扉内に最大限引き込まれ、電気錠４が解錠状態となる。なお、電流Ｉａ，Ｉｂの流れる時間はデッドボルトのスライド移動に必要な時間に設定されており、電気錠４の機種によって異なるが本例では例えば約１秒程度に設定される。
【００２７】
アンサーバック装置１０は同装置の入力端子として＋側入力端子１９ａ及び−側入力端子１９ｂを備え、＋側入力端子１９ａが＋側配線７ａの途中に接続され、−側入力端子１９ｂが−側配線７ｂの途中に接続されている。このため、アンサーバック装置１０は制御器６と駆動モータ９とを繋ぐ配線７の途中で接続されつつ、壁部５ａ側の通電金具８ｂの内部に収容された状態となり、かつ駆動モータ９に対し並列接続された状態となる。なお、配線７はが＋側配線７ａと−側配線７ｂとからなる。
【００２８】
図３に示すように、アンサーバック装置１０は、４つのダイオードをブリッジ状に接続したダイオードブリッジ２０と、同装置の電源として作動する電源回路２１と、電源回路２１の過電圧を防止する過電圧保護回路２２と、同装置のメイン制御を司るＣＰＵ２３とを備えている。制御器６から駆動モータ９に電流Ｉａ（Ｉｂ）が流れると、アンサーバック装置１０にはその一部の電流Ｉｘ（Ｉｙ）が流れる。
【００２９】
ダイオードブリッジ２０は入力側が＋側入力端子１９ａ及び−側入力端子１９ｂに接続され、駆動モータ９の駆動時に流れ込んだ電流Ｉｘ（Ｉｙ）の一部を入力する。ダイオードブリッジ２０はその流れ込んだ電流を整流し、それを過電圧保護回路２２に出力する。過電圧保護回路２２は、例えば直列接続された２つの抵抗と、電源回路２１への電圧を一定に保つツェナーダイオードとからなり、ツェナーダイオードの電圧降伏によって電源回路２１の過電圧を防止している。
【００３０】
電源回路２１は、電源ＩＣ２４と、２つのコンデンサ２５，２６と、有極性電解コンデンサ２７とを備えている。電源ＩＣ２４は３つの端子２４ａ〜２４ｃを備え、このうち端子２４ｃがＧＮＤに接続されている。コンデンサ２５は一方の端子が電源ＩＣ２４の端子２４ａに接続され、他方の端子がＧＮＤに接続されている。コンデンサ２６は一方の端子が電源ＩＣ２４の端子２４ｂに接続され、他方の端子がＧＮＤに接続されている。また、有極性電解コンデンサ２７は＋側端子が電源ＩＣ２４の端子２４ａに接続され、−側端子がＧＮＤに接続されている。
【００３１】
電気錠４が施錠（又は解錠）されるとき、制御器６からは電流Ｉａ（Ｉｂ）が駆動モータ９に向けて流れるが、その電流Ｉａ（Ｉｂ）の一部の電流Ｉｘ（Ｉｙ）はアンサーバック装置１０に流れ込み、電源回路２１にはダイオードブリッジ２０及び過電圧保護回路２２を介して電流が流入する。これにより、電源回路２１はこの電流を電源として起動し、ＣＰＵ２３等への電源供給を開始する。従って、駆動モータ９に向けて電流Ｉａ（Ｉｂ）が流れ、この電流に基づき電源回路２１が起動すれば、ＣＰＵ２３等は電源が供給された状態となる。
【００３２】
アンサーバック装置１０は、ＣＰＵ２３のＩ／Ｆとして機能する第１入力回路２８及び第２入力回路２９と、電気錠４の施錠・解錠時に報知音を出力するブザー３０と、ＣＰＵ２３からの指令をブザー３０の駆動信号に変換する出力回路３１と、ＣＰＵ２３の動作をリセットするリセット回路３２とを備えている。駆動モータ９に電流Ｉａが流れたときには第１入力回路２８に電流が流入し、駆動モータ９に電流Ｉｂが流れたときには第２入力回路２９に電流が流入する。
【００３３】
第１入力回路２８は、ＣＰＵ２３の第１端子２３ａに接続されるとともに、抵抗３３を介して電源回路２１にも接続されている。ここで、電子キー２による電気錠４の施錠動作が行われ、駆動モータ９に電流Ｉａが流れて第１入力回路２８に電流が流れ込むと、第１入力回路２８は内部のトランジスタがオンとなる。このとき、電源回路２１からの電源供給がすでに開始済みでＣＰＵ２３が第１端子２３ａでＨ信号を入力している状態であれば、ＣＰＵ２３側に流れていた電流が第１入力回路２８側に流れ、ＣＰＵ２３は第１端子２３ａでＬ信号を入力した状態に切り換わる。
【００３４】
第２入力回路２９は、ＣＰＵ２３の第２端子２３ｂに接続されるとともに、抵抗３４を介して電源回路２１にも接続されている。ここで、電子キー２による電気錠４の解錠動作が行われ，駆動モータ９に電流Ｉｂが流れて第２入力回路２９に電流が流れ込むと、第２入力回路２９は内部のトランジスタがオンとなる。このとき、電源回路２１からの電源供給がすでに開始済みでＣＰＵ２３が第２端子２３ｂでＨ信号を入力している状態であれば、ＣＰＵ２３側に流れていた電流が第２入力回路２９側に流れ、ＣＰＵ２３は第２端子２３ｂでＬ信号を入力した状態に切り換わる。
【００３５】
ＣＰＵ２３は例えば端子が８ピンのＩＣが用いられ、第１端子２３ａ及び第２端子２３ｂの他に電源端子２３ｃ及びＧＮＤ端子２３ｄを備えている。ＣＰＵ２３は電源端子２３ｃが電源回路２１に接続され、ＧＮＤ端子２３ｄがＧＮＤに接続されている。電源回路２１が起動したとき、ＣＰＵ２３は電源端子２３ｃを介して電源回路２１からの電源を入力し、その電源に基づいてアンサーバック処理（即ち、電気錠４の施錠・解錠に応じたブザー３０による報知処理）が実行可能となる。また、電源端子２３ｃとＧＮＤ端子２３ｄとの間にはコンデンサ３５が介装されている。
【００３６】
出力回路３１は例えば抵抗及びトランジスタからなり、入力側がＣＰＵ２３の第３端子２３ｅに接続され、出力側がブザー３０に接続されている。ブザー３０は電源回路２１を駆動電源としており、出力回路３１のトランジスタがオンとなれば電流が流れてブザー音を発した状態となる。なお、電源回路２１が電源ユニットに相当する。また、ＣＰＵ２３が報知機構、判断手段及び制御手段を構成する。また、ブザー３０が報知機構及び報知手段を構成する。
【００３７】
リセット回路３２は、例えばリセットＩＣ、抵抗及び有極性電界コンデンサからなり、ＣＰＵ２３のリセット端子２３ｆに接続されるとともに、抵抗３６を介して電源回路２１にも接続されている。リセット回路３２は電源回路２１の電源を逐次監視しており、その電源の値が安定したか否かを判定している。そして、リセット回路３２は、電源回路２１から供給される電源の値が所定レベルを超えたことを検出すると電源回路２１が安定したと判断し、まずは判断後の一定時間の間、ＣＰＵ２３のリセット端子２３ｆに向けてＬ信号を出力した状態を維持する。
【００３８】
一定時間経過後、リセット回路３２はＣＰＵ２３のリセットを解除するためにＨ信号（リセット解除信号）を出力する。ＣＰＵ２３はリセット回路３２からＨ信号を入力するとリセットが解除され、電源回路２１から電源が供給されていることを条件に立ち上がった状態となってアンサーバック処理を開始する。
【００３９】
ＣＰＵ２３は自身が起動したことを条件に、ブザー３０によるアンサーバック処理を以下の通りに実行する。まず、電気錠４が施錠されるときには制御器６から駆動モータ９に向けて電流Ｉａが流れ、これによって第１入力回路２８に電流が流れ込む。従って、第１入力回路２８のトランジスタがオンし、ＣＰＵ２３は第１端子２３ａを介してＬ信号を入力する。一方、第２入力回路２９には電流が流れないので、内部のトランジスタがオフのままを維持し、これによってＣＰＵ２３は第２端子２３ｂを介してＨ信号を入力する。
【００４０】
よって、ＣＰＵ２３は第１端子２３ａでＬ信号、第２端子２３ｂでＨ信号を入力することになり、これを条件に電気錠４が施錠されたと判断して、施錠音を出すべき指令（所定時間の間、電圧レベルが立ち上がったままの図３に示す出力信号Ｓａ）を第３端子２３ｅから出力回路３１に出力する。出力回路３１は出力信号Ｓａの電圧レベルが立ち上がっている間、内部のトランジスタがオンとなる。従って、ブザー３０は出力回路３１のトランジスタがオンの間、電流が流れた状態となり、施錠音としてピー音を発した状態となる。
【００４１】
一方、電気錠４が解錠されるときには制御器６から駆動モータ９に向けて電流Ｉｂが流れ、これによって第２入力回路２９に電流が流れ込む。従って、第２入力回路２９のトランジスタがオンし、ＣＰＵ２３は第２端子２３ｂを介してＬ信号を入力する。一方、第１入力回路２８には電流が流れないので、内部のトランジスタがオフのままを維持し、これによってＣＰＵ２３は第１端子２３ａを介してＨ信号を入力する。
【００４２】
よって、ＣＰＵ２３は第１端子２３ａでＨ信号、第２端子２３ｂでＬ信号を入力することになり、これを条件に電気錠４が解錠されたと判断して、解錠音を出すべき指令（所定時間の間に複数（本例は２つ）の立上がりを有する図１に示す出力信号Ｓｂ）を第３端子２３ｅから出力回路３１に出力する。出力回路３１は出力信号Ｓｂの電圧レベルが立ち上がったときに内部のトランジスタがオンとなる。従って、そのタイミングでブザー３０は電流が流れた状態となり、施錠音としてピッ、ピッ音を発した状態となる。
【００４３】
次に、電気錠システム１の作用を説明する。
まず、電子キー２を施錠操作すると、電子キー２から発信される施錠信号を制御器６が受信し、電気錠４が解錠状態であれば制御器６はそれに応答して駆動モータ９に電流Ｉａを約１秒間程度流す。これにより、駆動モータ９が正転してデッドロックが扉外に飛び出し、電気錠４が施錠状態となる。駆動モータ９に電流Ｉａが流れているとき、その電流Ｉａの一部（即ち、電流Ｉｘ）がアンサーバック装置１０に流れ込む。従って、電流がダイオードブリッジ２０及び過電圧保護回路２２を介して電源回路２１に流れ込み、これを電源として電源回路２１が起動を開始する。
【００４４】
電源回路２１が起動を開始すると、電源回路２１はＣＰＵ２３、ブザー３０及びリセット回路３２に電源を供給した状態となる。ここで、図４のタイムチャートに示すようにＣＰＵ２３には電源が供給されるが、リセット回路３２によってリセットが解除されるまではアンサーバック処理を開始しない。リセット回路３２は電源が供給されると電源の値が安定したか否かを判定し、電源回路２１から供給される電源の値が所定レベルを超えたことを検出すると電源回路２１が安定したと判断し、ＣＰＵ２３のリセット端子２３ｆへＨ信号を出力する。
【００４５】
ＣＰＵ２３はリセット回路３２からＨ信号を入力するとアンサーバック処理を開始し、第１端子２３ａ及び第２端子２３ｂで入力する信号の電圧レベルを判定する。電気錠４が施錠される場合、ＣＰＵ２３は第１端子２３ａでＬ信号を、第２端子２３ｂでＨ信号を入力するので、これに基づき電気錠４が施錠されたと判断して、施錠音を出すための出力信号Ｓａを第３端子２３ｅから出力回路３１に出力する。これによって出力回路３１が駆動され、ブザー３０から施錠音としてピー音が発せられる。
【００４６】
一方、電子キー２を解錠操作すると、電子キー２から発信される解錠信号を制御器６が受信し、電気錠４が施錠状態であれば制御器６はそれに応答して駆動モータ９に電流Ｉｂを約１秒間程度流す。これにより、駆動モータ９が逆転してデッドロックが扉内に引き込まれ、電気錠４が解錠状態となる。駆動モータ９に電流Ｉｂが流れているとき、その電流Ｉｂの一部（即ち、電流Ｉｙ）がアンサーバック装置１０に流れ込む。従って、電流がダイオードブリッジ２０及び過電圧保護回路２２を介して電源回路２１に流れ込み、これを電源として電源回路２１が起動を開始する。
【００４７】
電源回路２１が起動を開始すると、施錠のときと同様に電源回路２１はＣＰＵ２３、ブザー３０及びリセット回路３２に電源を供給した状態となる。そして、リセット回路３２は電源が供給されると電源の値が安定したか否かを判定し、電源回路２１から供給される電源の値が所定レベルを超えたことを検出すると電源回路２１が安定したと判断し、ＣＰＵ２３のリセット端子２３ｆへＨ信号を出力する。
【００４８】
ＣＰＵ２３はリセット回路３２からＨ信号を入力するとアンサーバック処理を開始し、第１端子２３ａ及び第２端子２３ｂで入力する信号の電圧レベルを判定する。電気錠４が解錠される場合、図５のタイムチャートに示すようにＣＰＵ２３は第１端子２３ａでＨ信号を、第２端子２３ｂでＬ信号を入力するので、これに基づき電気錠４が施錠されたと判断して、解錠音を出すための出力信号Ｓｂを第３端子２３ｅから出力回路３１に出力する。これによって出力回路３１が駆動され、ブザー３０から解錠音としてピッ、ピッ音が発せられる。
【００４９】
本例では、ダイオードブリッジ２０、電源回路２１、過電圧保護回路２２、ＣＰＵ２３、第１入力回路２８、第２入力回路２９、ブザー３０及び出力回路３１を同一のケース１０ａ内に収容することで、アンサーバック装置１０をユニット化した。従って、アンサーバック機能のない電気錠システム１にアンサーバック装置１０を後付けするような場合に、複数の部品を取り付けるような状況下に陥らずに済み、アンサーバック装置１０を簡単に後付けすることが可能となる。
【００５０】
また、駆動モータ９に流される電流Ｉａ（Ｉｂ）を電力源として作動する電源回路２１をアンサーバック装置１０に内蔵した。ところで、アンサーバック装置１０にこの種の電源回路２１がない場合、扉３から離れた位置にある制御器６から電源をとるために、制御器６とアンサーバック装置１０とを電源配線で接続する必要が生じ、この作業時には電源配線の取り回し等の接続作業が面倒である。しかし、本例のようにアンサーバック装置１０に電源回路２１を内蔵すれば、このような電源配線の接続作業を行わずに済み、アンサーバック装置の後付けの簡素化に一層寄与する。
【００５１】
第１実施形態の構成によれば、以下に記載の効果を得ることができる。
（１）アンサーバック装置１０をユニット化したので、アンサーバック機能のない電気錠システム１にアンサーバック装置１０を後付けするような場合に、複数の部品を取り付けるような状況下に陥らずに済み、アンサーバック装置１０を簡単に後付けすることができる。
【００５２】
（２）アンサーバック装置１０に電源回路２１を内蔵したので、アンサーバック装置１０を後付けする際に電源配線の接続作業を行わずに済み、アンサーバック装置の後付けの簡素化に一層寄与できる。
【００５３】
（３）電気錠４が施錠されるときには施錠に対応したブザー音（ピー音）を鳴らすようにし、電気錠４が解錠されるときには解錠に対応したブザー音（ピッ、ピッ音）を鳴らすようにしたので、１つのアンサーバック装置１０で施錠・解錠の両方を報知することができる。
【００５４】
（４）アンサーバック装置１０に過電圧保護回路２２を搭載したので、電源回路２１に過電圧がかかることを防止できる。
（５）第１入力回路２８及び第２入力回路２９の各々に過電圧保護用のツェナーダイオードを設ければ、第１入力回路２８及び第２入力回路２９に過電圧がかかることを防止できる。
【００５５】
（第２実施形態）
次に、アンサーバック装置１０の第２実施形態を図６〜図８に従って説明する。なお、本例は第１実施形態と比較して、電源回路２１に蓄電機能を設けた点が異なるのみであるので、第１実施形態と同一部分に関しては同一符号を付して詳しい説明を省略し、異なる部分についてのみ説明する。
【００５６】
図６は、アンサーバック装置１０の電気構成を示す電気回路図である。電源回路２１は駆動モータ９に電流Ｉａ（Ｉｂ）が流れなくなっても、暫くの間、電源供給を行う蓄電回路３７を備えている。蓄電回路３７は、電力を蓄電可能な有極性電解コンデンサ３８と、有極性電解コンデンサ３８からの電流逆流を抑止するダイオード３９とからなる。電源回路２１は蓄電回路３７を有することによって、電源供給時間が第１実施形態に比べて長くなる。なお、電源回路２１及び蓄電回路３７が電源ユニットを構成する。
【００５７】
有極性電解コンデンサ３８は電源回路２１と別部品であり、＋側端子がダイオード３９を介して電源ＩＣ２４の端子２４ａに接続されている。有極性電解コンデンサ３８は容量が有極性電解コンデンサ２７のそれよりも大きな値に設定され、瞬時に蓄電し、ゆるやかに放電する素子を用いることが望ましい。ダイオード３９はアノードが電源ＩＣ２４の端子２４ａに接続され、カソードがコンデンサ２５、有極性電解コンデンサ２７，３８に接続されている。
【００５８】
ＣＰＵ２３の第４端子２３ｇには、扉３の開閉完了を検出する扉開閉センサ４０が第３入力回路４１を介して接続されている。扉開閉センサ４０は、例えば扉３が空いた状態ではＨ信号（扉開閉信号）を出力し、扉３が完全に閉じた状態となったときＬ信号（扉開閉信号）を出力する。ＣＰＵ２３は扉開閉センサ４０からＨ信号を入力すると扉３が開いた状態であると判断し、扉開閉センサ４０からＬ信号を入力すると扉３が閉まった状態であると判断する。
【００５９】
ここで、電気錠４は扉３が完全に閉まった状態になっていないと作動しないように構成されている。即ち、ＣＰＵ２３は電子キー２で施錠操作がなされたとき、扉開閉センサ４０からＬ信号を入力していること（即ち、扉３が完全に閉まっていること）を条件に電気錠４の施錠動作を開始する。一方、ＣＰＵ２３は電子キー２で解錠操作がなされたときも、扉開閉センサ４０からＬ信号を入力していることを条件に電気錠４の解錠動作を開始する。
【００６０】
さて、電子キー２が操作されると、扉３が閉まっていることを条件に駆動モータ９に電流Ｉａ（Ｉｂ）が流れて電気錠４が施錠又は解錠される。このとき、駆動モータ９に流れる電流Ｉａ（Ｉｂ）の一部（即ち、電流Ｉｘ（Ｉｙ））がアンサーバック装置１０に流れ込むので、電流がダイオードブリッジ２０及び過電圧保護回路２２を介して電源回路２１に流入し、これを電源として電源回路２１が起動する。従って、ＣＰＵ２３、ブザー３０及びリセット回路３２に電源が供給された状態となり、リセット回路３２からのＨ信号入力に伴いＣＰＵ２３が起動状態となって、アンサーバック処理が行なわれる。駆動モータ９に電流Ｉａ（Ｉｂ）が流れている間、蓄電回路３７の有極性電解コンデンサ３８には電力が蓄電される。
【００６１】
ところで、制御器６が電流Ｉａ（Ｉｂ）を流す時間は約１秒間程度に設定されているので、電流Ｉａ（Ｉｂ）が流れているときだけ動く電源回路では、電流Ｉａが流れなくなると作動が停止して電源を供給しない状態となる。ここで、施錠又は解錠報知の途中で駆動モータ９が停止して電源供給が止まり、報知が途中で停止する可能性も否定できず、このような不具合はできるだけ確実に防止した要望がある。そこで、本例では蓄電回路３７を内蔵したので、駆動モータ９に電流Ｉａ（Ｉｂ）が流れなくなっても暫くの間は電源回路２１が作動可能となり、ＣＰＵ２３はブザー３０による報知を確実に実行可能になる。
【００６２】
従って、図７のタイムチャートに示すように電気錠４が施錠される場合、ＣＰＵ２３は第１端子２３ａでＬ信号を、第２端子２３ｂでＨ信号を入力し、扉３が閉まった状態であれば第４端子２３ｇでＬ信号を入力する。よって、ＣＰＵ２３は扉３が完全に閉まった状態で電気錠４が施錠されたと判断して、施錠音を出すための出力信号Ｓａを第３端子２３ｅから出力回路３１に出力する。これによって出力回路３１が駆動され、扉３が完全に閉まった後にブザー３０から施錠音としてピー音が発せられる。
【００６３】
一方、図８のタイムチャートに示すように電気錠４が解錠される場合、ＣＰＵ２３は第１端子２３ａでＨ信号を、第２端子２３ｂでＬ信号を入力し、扉３が閉まった状態であれば第４端子２３ｇでＬ信号を入力する。よって、ＣＰＵ２３は扉３が完全に閉まった状態で電気錠４が解錠されたと破断して、解錠音を出すための出力信号Ｓｂを第３端子２３ｅから出力回路３１に出力する。これによって出力回路３１が駆動され、扉３が完全に閉まった状態でブザー３０から施錠音としてピッ、ピッ音が発せられる。なお、図７及び図８に示す電源端子の波形は、駆動モータ９に流れる電流と蓄電回路３７に蓄えられた電流との両方を電力供給源とした波形である。
【００６４】
第２実施形態の構成によれば、第１実施形態の（１）〜（５）に記載の効果に加え、以下に記載の効果を得ることができる。
（６）電源回路２１に蓄電回路３７を設けたので、駆動モータ９に電流Ｉａ（Ｉｂ）が流れなくなっても電源回路２１による電源供給を行なうことが可能となる。従って、電気錠４の施錠・解錠が完了して駆動モータ９が停止してしまっても、その後の電源が確保されるので、ブザー３０による施錠又は解錠報知が途中で止まってしまう不具合が生じ難くなる。
【００６５】
なお、各実施形態は前記構成に限定されず、以下の態様に変更してもよい。
・  第１及び第２実施形態において、アンサーバック装置１０は１つの装置で施錠報知と解錠報知の両方を行なうことに限らず、どちらか一方の報知を行なうだけの構成としてもよい。この場合、アンサーバック装置１０の構造が簡単なもので済む。
【００６６】
・  第１及び第２実施形態において、施錠及び解錠の報知形式はブザー３０による聴覚的な報知に限定されない。例えば、ブザー３０の代わりにＬＥＤを取り付け、光による視覚的な報知としてもよい。また、ブザー３０とＬＥＤを並列に取り付け、音と光の両方で報知してもよい。
【００６７】
・  第１及び第２実施形態において、制御器６はスイッチ１１，１２からなるリレー式の構成に限らず、電気錠４の施錠・解錠に応じて駆動モータ９に電流を流すことのできる構成であれば、その構成は特に限定されない。
【００６８】
・  第１及び第２実施形態において、電子キー２の通信形式は、例えば電波や赤外線など無線通信であれば特に限定されない。
・  第１及び第２実施形態において、アンサーバック装置１０は建物５の扉用に用いることに限らず、例えば車等の他の対象物に使用してもよい。
【００６９】
・  第１及び第２実施形態において、アンサーバック装置１０はユニット化構成と、電源回路２１を内蔵した構成の両方を備えることに限らず、一方の構成を備えていればよい。
【００７０】
・  第２実施形態において、電源回路２１に蓄電回路３７を内蔵した場合、駆動モータ９が停止した後、蓄電回路３７を電源としてＣＰＵ２３がタイマにより時間をカウントし、タイマがタイムアップしたときに施錠又は解錠の報知をするようにしてもよい。
【００７１】
次に、上記実施形態及び別例から把握できる技術的思想について以下に追記する。
（１）請求項１又は２において、前記駆動モータに流れる前記電流を整流して出力する整流回路を備え、前記電源ユニットは整流後の電流に基づき起動して前記報知機構へ電力を供給する。
【００７２】
（２）請求項１又は２において、前記電源ユニットの過電圧を抑制する過電圧保護回路を備えた。
（３）前記技術的思想（１），（２）において、前記整流回路及び過電圧保護回路のうち少なくとも一方が前記ケース内に収容されている。
【００７３】
（４）前記蓄電回路の電力によって動作し、前記扉の開閉状態を検出する検出手段から出力される検出信号に基づき前記扉の施錠又は解錠が完了したか否かを判断する第２判断手段と、同じく前記蓄電回路の電力によって動作し、前記第２判断手段の判断結果に基づき施錠完了又は解錠完了に応じた報知を前記報知手段に行わせる第２制御手段とを備えた。
【００７４】
（５）請求項１〜５のうちいずれか一項において、前記報知手段は聴覚的及び視覚的の少なくともどちらか一方で報知する。
【図面の簡単な説明】
【００７５】
【図１】第１実施形態における電気錠システムの概要を示す斜視図。
【図２】（ａ），（ｂ）は制御器のリレー状態を示す説明図。
【図３】アンサーバック装置の電気構成を示す電気回路図。
【図４】電気錠施錠時、ＣＰＵに入力される各種信号のタイムチャート。
【図５】電気錠解錠時、ＣＰＵに入力される各種信号のタイムチャート。
【図６】第２実施形態におけるアンサーバック装置の電気構成を示す電気回路図。
【図７】電気錠施錠時、ＣＰＵに入力される各種信号のタイムチャート。
【図８】電気錠解錠時、ＣＰＵに入力される各種信号のタイムチャート。
【符号の説明】
【００７６】
２…電子キー、３…扉、４…扉錠としての電気錠、９…駆動モータ、１０…アンサーバック装置、１０ａ…ケース、２１…電源ユニットを構成する電源回路、２３…報知機構、判断手段及び制御手段を構成するＣＰＵ、２８、２９…入力回路、３０…報知機構及び報知手段を構成するブザー、３７…電源ユニットを構成する蓄電回路、Ｉａ，Ｉｂ…電流。
【図１】
0004612328.tif 000002
【図２】
0004612328.tif 000003
【図３】
0004612328.tif 000004
【図４】
0004612328.tif 000005
【図５】
0004612328.tif 000006
【図６】
0004612328.tif 000007
【図７】
0004612328.tif 000008
【図８】
0004612328.tif 000009